【手続補正書】
【提出日】平成17年2月10日(2005.2.10)
【手続補正１】
【補正対象書類名】明細書
【補正対象項目名】特許請求の範囲
【補正方法】変更
【補正の内容】
【特許請求の範囲】
【請求項１】
画像情報を含むメイン情報をランダムアクセス可能な記録媒体へ記録し、該記録媒体に記録されたメイン情報を再生するビデオ記録再生装置において、
前記記録媒体に既に記録されているメイン情報に対して関連する情報をサブ情報として新たに追加記録するときには、前記メイン情報の再生を行いながら、再生されるメイン情報に対応付けて前記サブ情報の記録を行い、再生時には、前記メイン情報の再生と連動して該メイン情報に対応付けられたサブ情報の再生を行うことを特徴とするビデオ記録再生装置。
【請求項２】
前記メイン情報の再生を行いながら、再生されるメイン情報に対応付けて前記サブ情報の記録を行うときには、前記メイン情報と前記サブ情報との対応付けを行うためのコントロール情報を前記既に記録されているメイン情報および前記サブ情報のそれぞれに対応した所定領域に記録し、前記コントロール情報は前記メイン情報と前記サブ情報との間の相互関連を認識するための情報と前記メイン情報および前記サブ情報の記録位置を示す情報とを含むことを特徴とする請求項１記載のビデオ記録再生装置。
【請求項３】
前記コントロール情報を記録する所定領域として、前記既に記録されているメイン情報記録領域に続く識別領域と前記追加記録されるサブ情報の記録領域に続く識別領域とが設定されていることを特徴とする請求項２記載のビデオ記録再生装置。
【請求項４】
前記再生時には、前記コントロール情報に基づき前記メイン情報の再生と連動して前記サブ情報の再生を行うことを特徴とする請求項２記載のビデオ記録再生装置。
【請求項５】
前記サブ情報を前記メイン情報が記録されている記録媒体に記録することを特徴とする請求項１または２記載のビデオ記録再生装置。
【請求項６】
前記サブ情報は画像情報を含むことを特徴とする請求項１または２記載のビデオ記録再生装置。
【請求項７】
前記再生時に再生された情報を表示するための表示手段を有し、前記再生時には、前記メイン情報と前記サブ情報とを合成して前記表示手段に表示可能であることを特徴とする請求項１または２記載のビデオ記録再生装置。
【請求項８】
前記サブ情報の追加記録時には、前記メイン情報と前記サブ情報とを合成して前記表示手段に表示可能であることを特徴とする請求項７記載のビデオ記録再生装置。
【請求項９】
前記サブ情報の表示の有無を選択する表示選択手段を有することを特徴とする請求項７または８記載のビデオ記録再生装置。
【請求項１０】
前記サブ情報を前記記録媒体に記録する際には、前記サブ情報を間引き処理により縮小して前記記録媒体に記録することを特徴とする請求項１または２記載のビデオ記録再生装置。
【請求項１１】
画像情報を含むメイン情報をランダムアクセス可能な記録媒体へ記録し、該記録媒体に記録されたメイン情報を再生するビデオ記録再生方法において、
前記記録媒体に既に記録されているメイン情報に対して関連する情報をサブ情報として新たに追加記録するときには、前記メイン情報の再生を行いながら、再生されるメイン情報に対応付けて前記サブ情報の記録を行い、再生時には、前記メイン情報の再生と連動して該メイン情報に対応付けられたサブ情報の再生を行うことを特徴とするビデオ記録再生方法。
【請求項１２】
前記メイン情報の再生を行いながら、再生されるメイン情報に対応付けて前記サブ情報の記録を行うときには、前記メイン情報と前記サブ情報との対応付けを行うためのコントロール情報を前記既に記録されているメイン情報および前記サブ情報のそれぞれに対応した所定領域に記録し、前記コントロール情報は前記メイン情報と前記サブ情報との間の相互関連を認識するための情報と前記メイン情報および前記サブ情報の記録位置を示す情報とを含むことを特徴とする請求項１１記載のビデオ記録再生方法。
【請求項１３】
前記コントロール情報を記録する所定領域として、前記既に記録されているメイン情報記録領域に続く識別領域と前記追加記録されるサブ情報の記録領域に続く識別領域とが設定されていることを特徴とする請求項１２記載のビデオ記録再生方法。
【請求項１４】
前記再生時には、前記コントロール情報に基づき前記メイン情報の再生と連動して前記サブ情報の再生を行うことを特徴とする請求項１２記載のビデオ記録再生方法。
【請求項１５】
前記サブ情報を前記メイン情報が記録されている記録媒体に記録することを特徴とする請求項１１または１２記載のビデオ記録再生方法。
【請求項１６】
前記サブ情報は画像情報を含むことを特徴とする請求項１１または１２記載のビデオ記録再生方法。
【請求項１７】
前記再生時には、前記メイン情報と前記サブ情報とを合成して表示手段に表示可能であることを特徴とする請求項１１または１２記載のビデオ記録再生方法。
【請求項１８】
前記サブ情報の追加記録時には、前記メイン情報と前記サブ情報とを合成して前記表示手段に表示可能であることを特徴とする請求項１７記載のビデオ記録再生方法。
【請求項１９】
前記サブ情報の表示の有無を選択可能であることを特徴とする請求項１７または１８記載のビデオ記録再生方法。
【請求項２０】
前記サブ情報を前記記録媒体に記録する際には、前記サブ情報を間引き処理により縮小して前記記録媒体に記録することを特徴とする請求項１１または１２記載のビデオ記録再生方法。
【手続補正２】
【補正対象書類名】明細書
【補正対象項目名】０００８
【補正方法】変更
【補正の内容】
【０００８】
【課題を解決するための手段】
請求項１記載の発明は、画像情報を含むメイン情報をランダムアクセス可能な記録媒体へ記録し、該記録媒体に記録されたメイン情報を再生するビデオ記録再生装置において、前記記録媒体に既に記録されているメイン情報に対して関連する情報をサブ情報として新たに追加記録するときには、前記メイン情報の再生を行いながら、再生されるメイン情報に対応付けて前記サブ情報の記録を行い、再生時には、前記メイン情報の再生と連動して該メイン情報に対応付けられたサブ情報の再生を行うことを特徴とする。
【手続補正３】
【補正対象書類名】明細書
【補正対象項目名】０００９
【補正方法】変更
【補正の内容】
【０００９】
請求項２記載の発明は、請求項１記載のビデオ記録再生装置において、前記メイン情報の再生を行いながら、再生されるメイン情報に対応付けて前記サブ情報の記録を行うときには、前記メイン情報と前記サブ情報との対応付けを行うためのコントロール情報を前記既に記録されているメイン情報および前記サブ情報のそれぞれに対応した所定領域に記録し、前記コントロール情報は前記メイン情報と前記サブ情報との間の相互関連を認識するための情報と前記メイン情報および前記サブ情報の記録位置を示す情報とを含むことを特徴とする。
【手続補正４】
【補正対象書類名】明細書
【補正対象項目名】００１８
【補正方法】変更
【補正の内容】
【００１８】
請求項１１記載の発明は、画像情報を含むメイン情報をランダムアクセス可能な記録媒体へ記録し、該記録媒体に記録されたメイン情報を再生するビデオ記録再生方法において、前記記録媒体に既に記録されているメイン情報に対して関連する情報をサブ情報として新たに追加記録するときには、前記メイン情報の再生を行いながら、再生されるメイン情報に対応付けて前記サブ情報の記録を行い、再生時には、前記メイン情報の再生と連動して該メイン情報に対応付けられたサブ情報の再生を行うことを特徴とする。
【手続補正５】
【補正対象書類名】明細書
【補正対象項目名】００１９
【補正方法】変更
【補正の内容】
【００１９】
請求項１２記載の発明は、請求項１１記載のビデオ記録再生方法において、前記メイン情報の再生を行いながら、再生されるメイン情報に対応付けて前記サブ情報の記録を行うときには、前記メイン情報と前記サブ情報との対応付けを行うためのコントロール情報を前記既に記録されているメイン情報および前記サブ情報のそれぞれに対応した所定領域に記録し、前記コントロール情報は前記メイン情報と前記サブ情報との間の相互関連を認識するための情報と前記メイン情報および前記サブ情報の記録位置を示す情報とを含むことを特徴とする。
【手続補正６】
【補正対象書類名】明細書
【補正対象項目名】００７９
【補正方法】変更
【補正の内容】
【００７９】
【発明の効果】
以上説明したように、請求項１記載のビデオ記録再生装置によれば、記録媒体に既に記録されているメイン情報に対して関連する情報をサブ情報として新たに追加記録するときには、メイン情報の再生を行いながら、再生されるメイン情報に対応付けてサブ情報の記録を行い、再生時には、メイン情報の再生と連動して該メイン情報に対応付けられたサブ情報の再生を行うから、再生されたメイン情報を確認しながら関連するサブ情報を記録することが可能になるとともに、また再生時には、メイン情報に関連付けて記録したサブ情報の記録状態を簡単に確認することが可能になり、記録に関して高い自由度が得られるなど、優れた有用性を得ることができる。
【手続補正７】
【補正対象書類名】明細書
【補正対象項目名】００８０
【補正方法】変更
【補正の内容】
【００８０】
請求項２記載のビデオ記録再生装置によれば、メイン情報の再生を行いながら、再生されるメイン情報に対応付けてサブ情報の記録を行うときには、メイン情報とサブ情報との対応付けを行うためのコントロール情報を既に記録されているメイン情報およびサブ情報のそれぞれに対応した所定領域に記録し、コントロール情報がメイン情報とサブ情報との間の相互関連を認識するための情報とメイン情報およびサブ情報の記録位置を示す情報とを含むから、このコントロール情報によりメイン情報とサブ情報との対応付けを正確かつ容易に行うことができる。
【手続補正８】
【補正対象書類名】明細書
【補正対象項目名】００８９
【補正方法】変更
【補正の内容】
【００８９】
請求項１１記載のビデオ記録再生方法によれば、記録媒体に既に記録されているメイン情報に対して関連する情報をサブ情報として新たに追加記録するときには、メイン情報の再生を行いながら、再生されるメイン情報に対応付けてサブ情報の記録を行い、再生時には、メイン情報の再生と連動して該メイン情報に対応付けられたサブ情報の再生を行うから、再生されたメイン情報を確認しながら関連するサブ情報を記録することが可能になるとともに、また再生時には、メイン情報に関連付けて記録したサブ情報の記録状態を簡単に確認することが可能になり、記録に関して高い自由度が得られるなど、優れた有用性を得ることができる。
【手続補正９】
【補正対象書類名】明細書
【補正対象項目名】００９０
【補正方法】変更
【補正の内容】
【００９０】
請求項１２記載のビデオ記録再生方法によれば、メイン情報の再生を行いながら、再生されるメイン情報に対応付けてサブ情報の記録を行うときには、メイン情報とサブ情報との対応付けを行うためのコントロール情報を既に記録されているメイン情報およびサブ情報のそれぞれに対応した所定領域に記録し、コントロール情報がメイン情報とサブ情報との間の相互関連を認識するための情報とメイン情報およびサブ情報の記録位置を示す情報とを含むから、このコントロール情報によりメイン情報とサブ情報との対応付けを正確かつ容易に行うことができる。